(57)【要約】【課題】この発明は、ＬＣＤから出力された画像を、別途設置したオブジェクトにタイミング良く重ね合わせることで、魅力的な画像演出が可能な表示装置、表示装置を備えた遊技機、表示制御装置、表示制御方法、及び表示制御プログラムに関する。【解決手段】画像を出力して表示する画像表示パネル１と、画像表示パネル１から出力された画像の投影光路Ｌ１に対して傾斜し、供給された画像の一部を正面側（矢印ａ側）の観賞者Ｍに反射するハーフミラー２と、ハーフミラー２の後側（矢印ｂ側）に配置されて、ハーフミラー２を通じて正面側（矢印ａ側）の観賞者Ｍから透視されるオブジェクト３と、オブジェクト３を照明し又は発光させる光源４と、画像表示パネル１による画像表示にハーフミラー２を経由したオブジェクト３を重ね合わせ光源４によるオブジェクト３の照明又は発光を同期して行わせる制御装置５とを具備する。【選択図】図１
2019042407.tif 000002
【特許請求の範囲】
【請求項１】
画像を出力して表示する画像表示パネルと、
該画像表示パネルに対して傾斜して設けられ、かつ該画像表示パネルからの投影光路により供給された画像の少なくとも一部を正面側に位置する観賞者に反射するハーフミラーと、
該ハーフミラーの後側に配置されて、該ハーフミラーを通じて正面側の観賞者から透視されることで、前記画像表示パネルの画像と重ね合わされるオブジェクトと、
該オブジェクトの照明、発光の少なくともいずれかを行う光源と、
前記画像表示パネルから投影された画像表示に前記ハーフミラーを経由したオブジェクトを重ね合わせ、かつ前記光源による該オブジェクトの照明、発光の少なくともいずれかを該画像表示に同期して行わせる制御装置と、を具備することを特徴とする表示装置。
【請求項２】
前記制御装置は、前記演出画像のオブジェクト表示領域の明るさを、他の領域の明るさとは異ならせることを特徴とする請求項１に記載の表示装置。
【請求項３】
前記画像表示パネル又は前記オブジェクトの少なくともいずれかを移動させるアクチュエータを有し、
前記制御装置は、前記画像表示パネル及び光源とともに、前記アクチュエータを同期して制御することを特徴とする請求項１または２のいずれか1項に記載の表示装置。
【請求項４】
前記制御装置は、前記画像表示パネルと前記ハーフミラーとの位置関係に基づき該ハーフミラーの後側に設定される虚像面の前側に、前記オブジェクトが位置しないように、前記アクチュエータに対して前記オブジェクトの前進、または、前記画像表示パネルの後退を前記ハーフミラーから所定の距離までに規制する制御を行なうことを特徴とする請求項３に記載の表示装置。
【請求項５】
前記ハーフミラーと前記オブジェクトとの間には前記オブジェクトと鑑賞者との間の光路を開閉するシャッタ装置が設けられており、
前記制御装置は、前記画像表示パネル及び光源とともに、前記シャッタ装置の動作を同期して制御することを特徴とする請求項１〜４のいずれか１項に記載の表示装置。
【請求項６】
前記制御装置は、演出開始信号の出力に基づき、前記画像表示パネルによる画像表示とともに、前記光源によるオブジェクトの照明、発光の少なくともいずれかを同期して行わせた際に、前記シャッタ装置を開状態とすることを特徴とする請求項５に記載の表示装置。
【請求項７】
請求項１〜６のいずれか1項に記載の表示装置と、該表示装置の表示を操作する入力手段とを備えた遊戯機器本体とを有する遊技機。
【請求項８】
画像を出力して表示する表示パネルに対して傾斜して設けられ、かつ該画像表示パネルからの投影光路により供給された画像の少なくとも一部を正面側に位置する観賞者に反射するハーフミラーと、
該ハーフミラーの後側に配置されて、該ハーフミラーを通じて正面側の観賞者から透視されることで、前記画像表示パネルの画像と重ね合わされるオブジェクトと、
該オブジェクトの照明、発光の少なくともいずれかを行う光源と、
を有する表示装置を制御する表示制御装置であって、
前記画像表示パネルから投影された画像表示に前記ハーフミラーを経由したオブジェクトを重ね合わせ、かつ前記光源による該オブジェクトの照明、発光の少なくともいずれかを該画像表示に同期して行わせることを特徴とする表示制御装置。
【請求項９】
画像を出力して表示する画像表示パネルに対して傾斜して設けられ、かつ該画像表示パネルからの投影光路により供給された画像の一部を正面側に位置する観賞者に反射するハーフミラーと、を具備する表示装置における表示制御方法であって、
前記ハーフミラーの後側に配置され、該ハーフミラーを通じて正面側の観賞者から透視されるオブジェクトと、前記画像表示パネルによる画像表示とを前記ハーフミラーを経由して重ね合わせ、かつ前記画像表示と、前記光源による該オブジェクトの照明、発光の少なくとも何れかとを同期して行わせる、ことを特徴とする表示制御方法。
【請求項１０】
画像を出力して表示する画像表示パネルに対して傾斜して設けられ、かつ該画像表示パネルからの投影光路により供給された画像の一部を正面側に位置する観賞者に反射するハーフミラーを具備し、前記ハーフミラーの後側に配置され、該ハーフミラーを通じて正面側の観賞者から透視されるオブジェクトと、前記画像表示パネルによる画像表示とを前記ハーフミラーを経由して重ね合わせて表示する表示制御プログラムであって、
コンピュータに、前記画像表示と、前記光源による該オブジェクトの照明、発光の少なくとも何れかとを同期して行わせることを特徴とする表示制御プログラム。
【発明の詳細な説明】
【技術分野】
【０００１】
本発明は、変化に富んだ画像演出が可能な表示装置、表示装置を備えた遊技機、表示制御装置、表示制御方法、及び表示制御プログラムに関する。
【背景技術】
【０００２】
液晶ディスプレイ（ＬＣＤ：liquid crystal display）を用いた演出装置として、例えば、特許文献１に示される光学装置が知られている。
この光学装置は、電子像を表示するＬＣＤを有する電子像提示系と、透過型白黒液晶パネルを用いた外界像遮光用シャッタを有する外界像提示系と、電子像の光路を９０°偏向するハーフミラーを有する光学的画像合成手段と、を具備する構成である。
【０００３】
そして、この光学的画像合成手段のハーフミラーでは、電子像提示系となるＬＣＤで表示された電子像を、外界像提示系となる外界像遮光用シャッタを通過する外界像と光学的に重ね合わせることで、観賞者に対して、電子像と外界像とを組み合わせた光学表示を可能とする。
【先行技術文献】
【特許文献】
【０００４】
【特許文献１】特開平７−６７０５５号公報
【発明の概要】
【発明が解決しようとする課題】
【０００５】
ところで、特許文献１に示される光学装置は、単に、ＬＣＤで表示された電子像を、風景となる外界像に光学的に重ね合わせるだけのものであり、例えば人気の高いキャラクター等のオブジェクトと画像とを効果的に組み合わせた効果的な演出をすることが難しいという問題があった。
【０００６】
この発明は、上述した事情に鑑みてなされたものであって、ＬＣＤから出力された画像を、別途設置したオブジェクトにタイミング良く重ね合わせることで、変化に富んだ画像の演出が可能な表示装置、表示装置を備えた遊技機、表示制御装置、表示制御方法、及び表示制御プログラムを提供する。
【課題を解決するための手段】
【０００７】
上記課題を解決するために、この発明は以下の手段を提案している。
すなわち、本発明では、画像を出力して表示する画像表示パネルと、該画像表示パネルに対して傾斜して設けられ、かつ該画像表示パネルからの投影光路により供給された画像の一部を正面側に位置する観賞者に反射するハーフミラーと、該ハーフミラーの後側に配置されて、該ハーフミラーを通じて正面側の観賞者から透視されることで、前記画像表示パネルの画像と重ね合わされるオブジェクトと、該オブジェクトを照明し又は発光させる光源と、前記画像表示パネルによる画像表示に前記ハーフミラーを経由したオブジェクトを重ね合わせるともに、前記光源による該オブジェクトの照明又は発光を同期して行わせる制御装置と、を具備することを特徴とする。
【発明の効果】
【０００８】
本発明によれば、画像表示パネルから出力された画像を、光源による照明又は発光で鮮明となったオブジェクトにタイミング良く重ね合わせることができ、これにより変化に富んだ画像演出が可能となる。
【図面の簡単な説明】
【０００９】
【図１】本発明に係る表示装置を示す概略構成図である。
【図２】本発明の第１実施形態に係る表示装置を示す概略構成図である。
【図３】（Ａ）画像表示パネルの画像表示面に表示された画像例、（Ｂ）パネル表示画像にオブジェクトを重ね合わせてなる合成画像を示す図である。
【図４】第１実施形態の制御部を示すブロック図である。
【図５】本発明の第２実施形態に係る表示装置を示す概略構成図である。
【図６】第２実施形態の制御部を示すブロック図である。
【図７】本発明の第３実施形態に係る表示装置を示す概略構成図である。
【図８】第３実施形態の制御部を示すブロック図である。
【発明を実施するための形態】
【００１０】
本発明に係る表示装置１００ついて図１を参照して説明する。
図１に符号１で示すものは画像（動画を含む）を出力して表示する画像表示パネル、符号２で示すものは画像表示パネル１からの投影画像を反射するハーフミラーである。
【００１１】
ハーフミラー２は、画像表示パネル１に対して傾斜するように設けられ、かつ該画像表示パネル１からの投影光路Ｌ１により供給された画像の一部を正面側（矢印ａ側）に位置する観賞者Ｍに反射する。なお、ハーフミラー２で反射した後の画像の経路は、投影光路Ｌ２で示す。
【００１２】
ハーフミラー２の後側（矢印ｂ側）にはオブジェクト３が設けられている。このオブジェクト３は、ハーフミラー２の後側に位置する載置面Ｇ上に設けられたものであって、該ハーフミラー２を通じて正面側（矢印ａ側）の観賞者Ｍから透視される。
このとき、観賞者Ｍからは、ハーフミラー２を経由してその後側に位置するオブジェクト３が透視されるとともに、その透視されたオブジェクト３と、ハーフミラー２で反射した画像表示パネル１の画像とが重ね合わされた「合成画像」が観賞される。
【００１３】
このオブジェクト３には光源４が設けられている。この光源４は、オブジェクト３に対して光を照射して照明する又はオブジェクト３自体を発光させるために設置されている。
一方、画像表示パネル１と光源４には、これらを制御する制御装置５が設けられている。この制御装置５は、画像表示パネル１における画像表示とともに、光源４によるオブジェクト３への照明又はオブジェクト３自体の発光を該画像表示と同期して行わせるために設置されている。
【００１４】
以上詳細に説明したように、本発明に係る表示装置１００によれば、画像表示パネル１とオブジェクト３との間に位置するハーフミラー２によって、該ハーフミラー２の後側（矢印ｂ側）に位置するオブジェクト３に、画像表示パネル１から出力された画像を重ね合わせることができる。
また、オブジェクト３には光源４が設けられており、この光源４により、オブジェクト３に光を照射する、又はオブジェクト３自体を発光させることができる。
さらに本発明に係る表示装置１００では、制御装置５により、画像表示パネル１による画像表示とともに、光源４によるオブジェクト３への照明又は該オブジェクト３の発光を該画像表示と同期して行わせることができる。
これにより上記表示装置１００では、画像表示パネル１から出力された画像を、光源４による照明又は発光で鮮明となったオブジェクト３にタイミング良く重ね合わせることができ、これにより魅力的な画像演出が可能となる。
【００１５】
〔第１実施形態〕
本発明の第１実施形態に係る表示装置１０１ついて図２〜図４を参照して説明する。図２に符号１１で示すものは画像（動画を含む）を出力して表示する画像表示パネルであり、符号１２で示すものは画像表示パネル１１の投影画像を反射するハーフミラーである。      この表示装置１０１は、例えば、遊技機に設けられて、人の手指により操作されるレバーやダイアル等の操作によって直接的あるいは間接的に入力される信号に基づいて、あるいは内蔵された映像プログラムに従って所定の画像を表示する。
【００１６】
画像表示パネル１１は、液晶ディスプレイや有機ＥＬディスプレイなどの薄型表示パネルが使用される。
なお、本例の画像表示パネル１１は、画像表示面１１Ａを下側にしてほぼ水平となるように配置されており、画像表示パネル１１から出力された画像の投影光路Ｌ１が垂直となるように位置している。
【００１７】
ハーフミラー１２は、画像表示パネル１１の画像表示面１１Ａとの角度を４５°に設定されている。すなわち、このハーフミラー１２は、画像表示パネル１１から出力された画像の投影光路Ｌ１に対して４５°に傾斜するように載置面Ｇ上に設けられており、該投影光路Ｌ１，Ｌ２により供給された画像の一部を正面側（矢印ａ側）に位置する観賞者Ｍに反射する。なお、ハーフミラー１２で反射した画像の経路は、投影光路Ｌ２で示す。
なお、画像表示パネル１１とハーフミラー１２との位置関係に基づき、該ハーフミラー１２の後側（矢印ｂ側）には虚像面Ｖが形成されており、該虚像面Ｖの後側（矢印ｂ側）に、前述のオブジェクト１３が配置された状態で鑑賞者Ｍに観察される。
【００１８】
ハーフミラー１２の後側（矢印ｂ側）には、フィギュア等のオブジェクト１３が設けられている。このオブジェクト１３は、ハーフミラー１２の後側に位置する載置面Ｇ上に設けられたものであって、該ハーフミラー１２を通じて正面側（矢印ａ側）の観賞者Ｍから透視される。
観賞者Ｍからは、ハーフミラー１２を経由してその後側に位置するオブジェクト１３が透視されるとともに、その透視されたオブジェクト１３と、投影光路Ｌ１，Ｌ２により供給されかつ該ハーフミラー１２で反射した画像表示パネル１１の画像とが重ね合わされた「合成画像」が観賞される。
このとき、鑑賞者Ｍからは、この「合成画像」が虚像面Ｖの位置に投影された画像（動画を含む）として認識される。
【００１９】
具体的な表示として、図３（Ａ）には、画像表示パネル１１の画像表示面１１Ａに表示された画像例が示されている。この画像例は、オブジェクト１３に重ね合わされる演出画像２０であって、その中央部には、オブジェクト１３が位置するオブジェクト表示領域２１が形成されている。
このオブジェクト表示領域２１は、その明るさを他の領域の明るさとは異ならせるように設定されている、より具体的には、ハーフミラー１２上での光反射が生じないように黒色表示とされている。
【００２０】
これにより、演出画像２０のオブジェクト表示領域２１内には、図３（Ｂ）に示されるように、ハーフミラー１２の後側に位置するオブジェクト１３を鮮明な状態で重ね合わせた「合成画像」を形成することができる。
また、オブジェクト表示領域２１の周囲に位置する演出画像２０には、オブジェクト表示領域２１内に現れるオブジェクト１３を際立たせるための色彩画像２２が示される。なお、色彩画像２２としては、例えば、オブジェクト１３を覆うように閉じた状態で表示されていた扉がゲームの進行に応じてオブジェクト１３が見えるように開くような画像、あるいは、オブジェクト１３の周囲で炎がメラメラ燃え上がる、花火が打ち上がる等のダイナミックな画像／動画である。
【００２１】
このオブジェクト１３には光源１４が設けられている。この光源１４は、オブジェクト１３に対して上方から光を照射して照明する、及び／又はオブジェクト１３自体を発光させるために設置される。
そして、このような光源１４では、光をＯＮ／ＯＦＦすることにより、ハーフミラー１２を通じた観賞者Ｍ側からのオブジェクト１３の可視/不可視を可能とする。
【００２２】
一方、画像表示パネル１１と光源１４には、これらを制御する制御装置１５が設けられている。
この制御装置１５は、画像表示パネル１１の画像表示面１１Ａに表示させる画像を制御する映像制御部３０と、光源１５による発光を制御する照明制御部３１と、これら制御部３０，３１を同期させる演出制御部３２と、を主な構成要素とする。
【００２３】
映像制御部３０は、画像表示パネル１１の画像表示面１１Ａに演出画像を表示させるための映像信号Ｓ１を出力するものであって、演出制御部３２からの演出信号Ｓ０に基づき該映像信号の出力処理を実行する。
照明制御部３１は、光源１４に対してＯＮ／ＯＦＦ、点滅とともに、輝度及び色調の調整等を行わせる光制御信号Ｓ２を出力するものであって、演出制御部３２からの演出信号Ｓ０に基づき該光映像信号の出力処理を実行する。
演出制御部３２は、映像制御部３０と照明制御部３１とを同期させる演出信号Ｓ０を出力するために設けられるものであって、内蔵されたコンピュータが所定のプログラムを実行することにより、外部から入力された演出開始信号ＳＡに基づき、画像表示パネル１１に表示される演出画像２０と、オブジェクト１３の照明／発光とが互いに関連し合いかつ同期するように一定時間の演出を行わせる。
【００２４】
以上詳細に説明したように第１実施形態に係る表示装置１０１によれば、画像表示パネル１１とオブジェクト１３との間に位置するハーフミラー１２によって、該ハーフミラー１２の後側（矢印ｂ側）に位置するオブジェクト１３に、画像表示パネル１１から出力された画像を重ね合わせることができる。
また、オブジェクト１３には光源１４が設けられており、この光源１４により、オブジェクト１３に光を照射する及び／又はオブジェクト１３自体を発光させることができる。
【００２５】
さらに第１実施形態に係るに係る表示装置１０１では、制御装置１５により、画像表示パネル１１による画像表示とともに、光源１４によるオブジェクト１３への照明又は該オブジェクト１３の発光を同期して行わせることができるので、画像表示パネル１１から出力された画像を、光源１４による照明又は発光で鮮明となったオブジェクト１３にタイミング良く重ね合わせることができ、これにより魅力的な画像演出が可能となる。
【００２６】
なお、本実施形態では、ハーフミラー１２の反射面と画像表示パネル１１の画像表示面１１Ａとを、４５°の角度に配置したが、ハーフミラー１２と画像表示パネル１１との位置関係が４５°を保っていれば、ハーフミラー１２と画像表示パネル１１とを一体として、オブジェクト１３に対して回転するように配置しても良い。
【００２７】
また、本実施形態に記載の表示装置１０１は、例えば、パチンコ等の遊技機本体内に内蔵し、大当たりが出た場合に、表示装置１０１の制御装置１５に対して演出開始信号ＳＡを出力することで、当該遊戯機にて多彩な映像演出をしても良い。
【００２８】
〔第２実施形態〕
本発明の第２実施形態に係る表示装置１０２ついて図５及び図６を参照して説明する。
第２実施形態に示される表示装置１０２が、第１実施形態に示される表示装置１０１と構成を異にするのは、画像表示パネル１１及びオブジェクト１３をそれぞれ移動させるアクチュエータ４０，４１を設けた点にある。
【００２９】
アクチュエータ４０は、例えばリニアステッピングモータ等の直線動作を行う機能を有し、画像表示パネル１１をハーフミラー１２に対して近接離間させる上下方向（図中、矢印ｃ−ｄ方向）に駆動するオブジェクトアクチュエータであって、アクチュエータ制御部３３から出力される制御信号Ｓ３に基づき駆動速度、駆動距離等が制御される。
アクチュエータ４１は、前記アクチュエータ４０と同様に、オブジェクト１３をハーフミラー１２に対して近接離間させる水平方向（図中、矢印ａ−ｂ方向）に駆動するオブジェクトアクチュエータであって、アクチュエータ制御部３３から出力される制御信号Ｓ４に基づき駆動が制御される。
アクチュエータ制御部３３は、映像制御部３０及び照明制御部３１を制御する演出制御部３２からの演出信号Ｓ０に基づき総合的に制御されるものであって、該演出制御部３２での制御において、照明制御部３１及び演出制御部３２との同期が図られる。
【００３０】
これにより、アクチュエータ４０により画像表示パネル１１を上下方向（図中、矢印ｃ−ｄ方向）に移動させた場合には、画像表示パネル１１とハーフミラー１２との位置関係に基づき該ハーフミラー１２の後側（矢印ｂ側）に設定される虚像面Ｖが、オブジェクト１３に対して近接離間（矢印ａ−ｂ方向）方向に位置変化する。
具体的には、アクチュエータ４０により画像表示パネル１１を上方向（図中、矢印ｃ方向）に移動させた場合には、ハーフミラー１２後側の虚像面Ｖが、オブジェクト１３に対して離間する方向（図中、矢印ｂ方向）に位置変化する。
また、アクチュエータ４０により画像表示パネル１１を下方向（図中、矢印ｄ方向）に移動させた場合には、ハーフミラー１２後側の虚像面Ｖが、オブジェクト１３に対して近接する方向（図中、矢印ａ方向）に位置変化する。
【００３１】
一方、これらアクチュエータ４１によりオブジェクト１３を水平方向（図中、矢印ａ−ｂ方向）に移動させた場合には、該オブジェクト１３が虚像面Ｖに対して同じく水平方向（矢印ａ−ｂ方向）に位置変化する。
そして、このような画像表示パネル１１により形成される虚像面Ｖ及びその矢印ａ−ｂ方向への位置変化と、照明により照らし出されるオブジェクト１３及びその矢印ａ−ｂ方向への位置変化とによって、観賞者Ｍに対して多彩な映像演出を行うことが可能となる。
【００３２】
以上詳細に説明したように、第２実施形態に係る表示装置１０２によれば、画像表示パネル１１とオブジェクト１３との間に位置するハーフミラー１２によって、該ハーフミラー１２の後側（矢印ｂ側）に位置するオブジェクト１３に、画像表示パネル１１から出力された画像を重ね合わせることができる。
さらに第２実施形態に係るに係る表示装置１０２では、制御装置１５により、画像表示パネル１１による画像表示とともに、光源１４によるオブジェクト１３への照明又は該オブジェクト１３の発光を同期して行わせることができるので、画像表示パネル１１から出力された画像を、光源１４による照明又は発光で鮮明となったオブジェクト１３にタイミング良く重ね合わせることができ、これにより魅力的な画像演出が可能となる。
【００３３】
さらに、第２実施形態に係る表示装置１０２では、アクチュエータ４０，４１の駆動により、画像表示パネル１１の画面表示により形成される虚像面Ｖと、照明により照らし出されるオブジェクト１３との相対位置を矢印ａ−ｂ方向に位置変化させることができる。
これにより表示装置１０２では、観賞者Ｍに対して多彩な映像演出を行うことが可能となる。
例えば、上記表示装置１０２にて、虚像面Ｖを横断してオブジェクト１３を前後に移動させることで、現実とは異なる画像表示を行うことができる。なおアクチュエータ４０、４１によってオブジェクト１３を回転させることにより、オブジェクト１３の正面、背面、側面等を鑑賞者Ｍへ交互に見せるようにしても良い。
【００３４】
なお、第２実施形態に係る表示装置１０２では、アクチュエータ４０，４１の駆動により、画像表示パネル１１の虚像面Ｖ及びオブジェクト１３を、矢印ａ−ｂ方向へ移動可能に設けたが、その際、虚像面Ｖの前側（矢印a側）に、オブジェクト１３が位置しないように、アクチュエータ４０及び／又は４１に対して物理的又は制御上の規制を設けるようにしても良い。
また、第２実施形態に係る表示装置１０２では、アクチュエータ４０，４１の駆動により、画像表示パネル１１の虚像面Ｖ及びオブジェクト１３を共に矢印ａ−ｂ方向へ移動可能に設けたが、これに限らず、アクチュエータ４０，４１をいずれか一方のみとし、画像表示パネル１１又はオブジェクト１３のいずれかを移動可能としても良い。
【００３５】
〔第３実施形態〕
本発明の第３実施形態に係る表示装置１０３ついて図７及び図８を参照して説明する。
第３実施形態に示される表示装置１０３が、先の実施形態に示される表示装置１０１，１０２と構成を異にするのは、ハーフミラー１２に遮光用のシャッタ装置５０を設けた点にある。
【００３６】
このシャッタ装置５０は、ハーフミラー１２の背面に位置するシャッタ５１と、該シャッタ５１を開閉するシャッタ駆動機構５２とを有するものである。
シャッタ駆動機構５２は、シャッタ制御部５３から出力されるシャッタ制御信号Ｓ５に基づき、シャッタ５１を開閉動作する。
このシャッタ制御部５３は、制御部３０，３１，４０，４１を同期させる演出制御部３２からの演出信号Ｓ０に基づき制御される。すなわち、シャッタ制御部５３からのシャッタ制御信号Ｓ５は、前述した画像表示パネル１１による画像表示とともに、光源１４によるオブジェクト１３への照明／発光と同期して出力される他、アクチュエータ４０，４１（第２実施形態参照）の動作とも同期している。
【００３７】
例えば、第３実施形態に係る表示装置１０３では、演出画像２０のオブジェクト表示領域２１内には、図３（Ｂ）に示されるように、ハーフミラー１２の後側に位置するオブジェクト１３を鮮明な状態で重ね合わせた「合成画像」を形成することに同期して、シャッタ５１の開閉動作を行うことで、オブジェクト１３からの光線を完全に遮蔽することが可能となる。
具体的には、第３実施形態に記載のシャッタ装置５０は、シャッタ５１を閉状態とすることで、ハーフミラー１２による演出に際しての遮光を完全にするために設けられている。すなわち、第３実施形態のシャッタ装置５０は、ハーフミラー１２の後側（矢印ｂ側）にある空間の完全遮光が難しい場合に、ハーフミラー１２に先だってシャッタ５１を閉状態とすることで、オブジェクト１３が鑑賞者Ｍに透けて見えてしまうことを確実に防止する遮光補助手段としての役割を有する。
【００３８】
以上詳細に説明したように第３実施形態に係る表示装置１０３によれば、画像表示パネル１１とオブジェクト１３との間に位置するハーフミラー１２によって、該ハーフミラー１２の後側（矢印ｂ側）に位置するオブジェクト１３に、画像表示パネル１１から出力された画像を重ね合わせることができる。
さらに第３実施形態に係るに係る表示装置１０３では、制御装置１５により、画像表示パネル１１による画像表示とともに、光源１４によるオブジェクト１３への照明又は該オブジェクト１３の発光を同期して行わせることができるので、画像表示パネル１１から出力された画像を、光源１４による照明又は発光で鮮明となったオブジェクト１３にタイミング良く重ね合わせることができ、これにより魅力的な画像演出が可能となる。
【００３９】
さらに、第３実施形態に係る表示装置１０３では、演出画像２０のオブジェクト表示領域２１内に、ハーフミラー１２の後側に位置するオブジェクト１３を鮮明な状態で重ね合わせた「合成画像」を形成することに同期して、該ハーフミラー１２でのシャッタ５１の開閉動作を行うことで、演出画像２０中にオブジェクト１３が一部でも透けて見えることによってその後の動きが予測されること等により演出効果が損なわれることを防止することができる。
【００４０】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４１】
本発明は、観賞者を魅了する演出が可能な表示装置、表示装置を備えた遊技機、表示制御装置、表示制御方法、及び表示制御プログラムに関する。
【符号の説明】
【００４２】
１  画像表示パネル
２  ハーフミラー
３  オブジェクト
４  光源
５  制御装置
１１  画像表示パネル
１１Ａ  画像表示面
１２  ハーフミラー
１３  オブジェクト
１４  光源
１５  制御装置
２０  演出画像
２１  オブジェクト表示領域
２２  色彩画像
３０  映像制御部
３１  照明制御部
３２  演出制御部
４０  アクチュエータ
４１  アクチュエータ
５０  シャッタ装置
１００  表示装置
１０１  表示装置
１０２  表示装置
１０３  表示装置
Ｇ  載置面    Ｖ  虚像面    Ｍ  観賞者
【図１】
2019042407.tif 000003
【図２】
2019042407.tif 000004
【図３】
2019042407.tif 000005
【図４】
2019042407.tif 000006
【図５】
2019042407.tif 000007
【図６】
2019042407.tif 000008
【図７】
2019042407.tif 000009
【図８】
2019042407.tif 000010